(57)【要約】      （修正有）【課題】スマートフォンを使用したリモート会議や動画視聴をする際に、手で支える事で起こる手振れや傾倒を防止するスマートフォンスタンドを提供する。【解決手段】スマートフォンスタンド１は、接地面２に隣接する隣接面３に、ケースを備えたスマートフォンが挿入される第１の溝５と、ケースを備えていないスマートフォンが挿入される第２の溝６を形成する。スマートフォンスタンド１の第１の溝５・第２の溝６にスマートフォンを横向きに厚みに応じて差し込み、テコの原理により支え自立させる。これにより、手振れや傾倒防止になり、且つ、支えていた手が自由になる効果が得られる。【選択図】図１
0003232939.tif 000002
【実用新案登録請求の範囲】
【請求項１】
スマートフォンのスタンドの接地面を一辺に備えたスマートフォンのスタンドであって、前記接地面に隣接する隣接面に、ケースを備えたスマートフォンが挿入される第１の溝と、ケースを備えていないスマートフォンが挿入される第２の溝を形成したことを特徴とするスマートフォンスタンド。
【請求項２】
前記第１の溝に対し前記第２の溝は幅狭に形成させるとともに、前記第１の溝の奥側に前記第２の溝を連通して形成した請求項１に記載のスマートフォンスタンド。
【考案の詳細な説明】
【技術分野】
【０００１】  本考案は、素材に当該構造の切り込みを設ける事で多様の厚みのスマートフォンを自立させる為のスマートフォンスタンドに関するものである。
【背景技術】
【０００２】  スマートフォンを使用し、動画やリモート会議を行う際に自立しない為、手や物で支えており、片手が塞がってしまいという問題点や不安定であるという問題点があった。
【先行技術文献】
【特許文献】
【０００３】
【特許文献１】意匠登録第１５２０２２２号  公報
【考案の概要】
【考案が解決しようとする課題】
【０００４】  従来の問題点を解消するために提案された上記の意匠公報のものにあっては、スマートフォンを挿入する溝が一つしか無く、溝の幅が狭いとケースを備えたスマートフォンを挿入する事が出来ないという問題点があり、溝の幅が広いとケースを備えていないスマートフォンの傾斜角度が大きくなり過ぎ、使い勝手が悪いという問題点があった。
【課題を解決するための手段】
【０００５】  本考案は上記課題を解決するものであり、本考案のスマートフォンスタンドはスマートフォンのスタンドの接地面を一辺に備えたスマートフォンのスタンドであって、前記接地面に隣接する隣接面に、ケースを備えたスマートフォンが挿入される第１の溝と、ケースを備えていないスマートフォンが挿入される第２の溝を形成したことを特徴とするものである。
又、本考案にあっては、前記第１の溝に対し前記第２の溝は幅狭に形成させるとともに、前記第１の溝の奥側に前記第２の溝を連通して形成することが望ましい。
【考案の効果】
【０００６】  本考案のスマートフォンスタンドは、スマートフォンのスタンドの接地面を一辺に備えたスマートフォンのスタンドであって、前記接地面に隣接する隣接面に、ケースを備えたスマートフォンが挿入される第１の溝と、ケースを備えていないスマートフォンが挿入される第２の溝を形成したことを特徴とするものであり、ケースを備えたスマートフォンであっても、ケースを備えていないスマートフォンであっても、所定の位置までスマートフォンを挿入するだけで安定してスマートフォンを自立させる事が出来るという効果がある。又、請求項２のようにしたものにあっては、スマートフォンを第１の溝に挿入する一連の操作で第２の溝に挿入する事ができ、使い勝手が良いという効果がある。
【図面の簡単な説明】
【０００７】
【図１】本考案のスマートフォンスタンドの一実施例の正面図である。
【図２】本考案のスマートフォンスタンドの一実施例であり、ケースを備えた際の使用状態を示す図である。
【図３】本考案のスマートフォンスタンドの一実施例であり、ケースを備えない際の使用状態を示す図である。
【考案を実施するための形態】
【０００８】  以下、添付図面に従って一実施例を説明する。スマートフォンスタンド１はアクリル板等適宣素材にて形成されている。スマートフォンスタンド１は、スマートフォンのスタンドとなる接地面２を一辺に備えたスマートフォンのスタンドであって、前記接地面に隣接する隣接面３に、ケース４を備えたスマートフォンが挿入される第１の溝５と、ケースを備えていないスマートフォンが挿入される第２の溝６を形成してなるスマートフォンのスタンドであり、第１の溝５に対し第２の溝６は幅狭に形成させるとともに、第１の溝５の奥側に第２の溝６を連通して形成している。スマートフォンにケースを備えている場合は５の第１の溝差すと安定して自立する。スマートフォンにケースを備えていない場合は６の第２の溝に差すと安定して自立する。
【０００９】  実施例は、第１の溝５に対し第２の溝６は幅狭に形成させるとともに、第１の溝５の奥側に第２の溝６を連通して形成したが、第１の溝と第２の溝とを独立させて形成してもかまわないものである。又、矩形形状に形成したが、接地面及び接地面に隣接する面以外は、円弧状であってもかまわないしキャラクターの外形が形成されたものでもかまわないものである。
【００１０】  本考案品はアクリル等の適宣素材を幅と奥行きの異なる溝を形成し、スマートフォン等を支え、自立させる為の物品である。第１の溝部分を幅約１３ミリメートル、奥行き１４ミリメートル、第２の溝を幅約９ミリメートル、奥行き２２ミリメートルと段差をつけることにより厚みの違いのあるスマートフォン等が挟める構造である。
【００１１】  次に、使用方法についてせつめいすると、スマートフォンの表面を前向きに持ち、左右側面部に本考案のスマートフォンスタンド１の第１の溝５、もしくは第２の溝６に接地面２の一辺と反対の部分を手前に向けて横から差し込む事でスマートフォンの画面を支点に支え反対側で傾倒を防ぎ自立させる。
【符号の説明】
【００１２】      １  スマートフォンスタンド
２  接地面
３  接地面と隣接する隣接面
４  ケース
５  第１の溝
６  第２の溝
【図１】
0003232939.tif 000003
【図２】
0003232939.tif 000004
【図３】
0003232939.tif 000005
【手続補正書】
【提出日】令和2年10月15日(2020.10.15)
【手続補正１】
【補正対象書類名】実用新案登録請求の範囲
【補正対象項目名】請求項１
【補正方法】変更
【補正の内容】
【請求項１】
スマートフォンのスタンドとなる接地面を一辺に備えたスマートフォンのスタンドであって、前記接地面に隣接する辺に、ケースを備えたスマートフォンが挿入される第１の溝と、ケースを備えていないスマートフォンが挿入される第２の溝を形成してなるスマートフォンのスタンドである。
第１の溝に対し第２の溝は幅狭に形成させるとともに第１の溝の奥側に第２の溝を連通して形成したことを特徴とするスマートフォンスタンド。
【手続補正書】
【提出日】令和3年3月22日(2021.3.22)
【手続補正１】
【補正対象書類名】実用新案登録請求の範囲
【補正対象項目名】全文
【補正方法】変更
【補正の内容】
【実用新案登録請求の範囲】
【請求項１】
スマートフォンのスタンドとなる接地面を一辺に備えたスマートフォンのスタンドであって、前記接地面に隣接する辺に、ケースを備えたスマートフォンが挿入される１の溝と、ケースを備えていないスマートフォンが挿入される第２の溝を形成してなるスマートフォンのスタンドである。
第１の溝に対し第２の溝は幅狭に形成させるとともに第１の溝の奥側に第２の溝を連通して形成したことを特徴とするスマートフォンスタンド。